【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】浴水循環装置
【手続補正２】
【補正対象書類名】明細書
【補正対象項目名】特許請求の範囲
【補正方法】変更
【補正の内容】
【特許請求の範囲】
【請求項１】
浴槽から浴水を汲み上げる循環ポンプと、微細なゴミ及び汚れ等の不純物を浴水からろ過するためのろ過タンクと、前記浴水を低温から高温に加熱するヒータと、前記浴水を殺菌する殺菌装置により浄化し再び前記浴槽に戻す循環管路と、からなる浴水循環装置において、
前記循環管路の流出側の管路に設けられた洗浄バルブと、該洗浄バルブに一端を連結し他端を前記循環管路の吸込み側の適宜な箇所と連結する連結管路と、前記循環ポンプの流出側循環管路の適宜の箇所に設けた排水バルブと、該排水バルブに一端を浴槽外に浴水を排水するため連結した排水管路とからなり、前記循環管路の流出側の管路に設けた前記洗浄バルブに前記浴槽に浴水を戻すための管路の一端を連結し他端に浴水を前記浴槽に排出する噴出部を設け、浴水排水時には、前記洗浄バルブを駆動して前記噴出部から浴槽内の浴水を吸い込むことを可能としたことを特徴とする浴水循環装置。
【請求項２】
請求項１記載において、前記吸込部の循環ポンプ側の適宜の箇所に管路の開閉可能な開閉バルブを設けたことを特徴とする浴水循環装置。
【請求項３】
浴槽から浴水を汲み上げる循環ポンプと、微細なゴミ及び汚れ等の不純物を浴水からろ過するためのろ過タンクと、前記浴水を低温から高温に加熱するヒータと、前記浴水を殺菌する殺菌装置により浄化し、再び前記浴槽に戻す循環管路とからなる浴水循環装置において、
前記循環管路の流出側の管路に設けられた洗浄バルブと、該洗浄バルブに一端を連結し他端を前記循環管路の吸込み側の適宜な箇所と連結する連結管路と、前記洗浄バルブの駆動を制御する洗浄バルブ制御手段と、前記循環ポンプの流出側循環管路の適宜の箇所に設けた排水バルブと、前記排水バルブの駆動を制御する排水バルブ制御手段と、該排水バルブに一端を浴槽外に浴水を排水するため連結した排水管路とからなり、前記循環管路の流出側の管路に設けた前記洗浄バルブに前記浴槽に浴水を戻すための管路の一端を連結し他端に浴水を浴槽に排出する噴出部を設け、前記排水バルブ駆動手段により前記排水バルブを駆動した浴水排水時には、前記洗浄バルブ駆動手段により前記洗浄バルブを駆動して前記噴出部から浴槽内の浴水を吸い込むことを可能としたことを特徴とする浴水循環装置。
【手続補正３】
【補正対象書類名】明細書
【補正対象項目名】００１０
【補正方法】変更
【補正の内容】
【００１０】
【課題を解決するための手段】
そこで発明者は、鋭意研究を重ねた結果、その発明を、浴槽から浴水を汲み上げる循環ポンプと、微細なゴミ及び汚れ等の不純物を浴水からろ過するためのろ過タンクと、前記浴水を低温から高温に加熱するヒータと、前記浴水を殺菌する殺菌装置により浄化し再び前記浴槽に戻す循環管路と、からなる浴水循環装置において、前記循環管路の流出側の管路に設けられた洗浄バルブと、該洗浄バルブに一端を連結し他端を前記循環管路の吸込み側の適宜な箇所と連結する連結管路と、前記循環ポンプの流出側循環管路の適宜の箇所に設けた排水バルブと、該排水バルブに一端を浴槽外に浴水を排水するため連結した排水管路とからなり、前記循環管路の流出側の管路に設けた前記洗浄バルブに前記浴槽に浴水を戻すための管路の一端を連結し他端に浴水を前記浴槽に排出する噴出部を設け、浴水排水時には、前記洗浄バルブを駆動して前記噴出部から浴槽内の浴水を吸い込むようにしたことを特徴とする浴水循環装置等としたことにより、熱水排水後の排水時に、前記プレフィルターの目詰まり等が生じても、安全且つ確実に熱水を排水でき、上記課題を解決したものである。
【手続補正４】
【補正対象書類名】明細書
【補正対象項目名】００４７
【補正方法】変更
【補正の内容】
【００４７】
【発明の効果】
まず、請求項１の発明では、プレフィルター等が目詰まりしたとしても、熱水を浴水と確実に混合させて、温度を低下させたうえで安全に排水することができるという極めて優れた効果を有する。すなわち、浴水排水時には、前記噴出部１１から浴槽１０内の浴水を吸い込んで前記循環管路１４内の熱水と混合させて浴槽１０の外側に排出するように前記洗浄バルブＶ２を駆動することにより、洗浄バルブＶ２において、管路ａから流入した熱水（又は浴水）は、循環ポンプＰの吸引力が十分なので、管路jへは流出せずに全て連結管路ｂへ流出させることができる。
【手続補正５】
【補正対象書類名】明細書
【補正対象項目名】００４８
【補正方法】変更
【補正の内容】
【００４８】
更に、前記循環ポンプＰの吸引力は管路ｊへも到達するので、浴槽１０内の浴水を前記管路ｊを介して吸い上げることもできる。その結果、前記噴出部１１にて十分な量の浴槽１０内の浴水を吸い上げることができ、循環管路１４を通る熱水（又は浴水）と混合させることができるので、プレフィルター等が目詰まりしたときでも、熱水を浴水と確実に混合させて、温度を低下させたうえで安全に排水することができるという極めて優れた効果を有する。
【手続補正６】
【補正対象書類名】明細書
【補正対象項目名】００４９
【補正方法】変更
【補正の内容】
【００４９】
また、請求項２の発明では、請求項１記載において、前記吸込部１２の循環ポンプＰ側の適宜の箇所に管路の開閉可能な開閉バルブＶ3 を設けた浴水循環装置における管路浄化装置としたことにより、以下のような優れた効果を生じる。
【手続補正７】
【補正対象書類名】明細書
【補正対象項目名】００５０
【補正方法】変更
【補正の内容】
【００５０】
即ち、前記吸込部１２の循環ポンプＰ側の適宜の箇所に管路の開閉可能な開閉バルブＶ3 を設けたことによって、前記プレフィルタが目詰まりしたしないに関わらず、管路ｍ又はｋを確実に開閉制御することができる。したがって、該開閉バルブＶ3 を閉じれば管路ｍ又はｋが確実に閉じるので、プレフィルタが目詰まり等して中途半端な量の浴水しか吸い上げできない状態のときには、前記開閉バルブＶ3 を閉じることで前記噴出部１１のみから浴槽１０内の浴水を吸い込むことができる。
【手続補正８】
【補正対象書類名】明細書
【補正対象項目名】００５１
【補正方法】変更
【補正の内容】
【００５１】
その結果、前記噴出部１１のみをもって十分な量の浴槽１０内の浴水を吸い上げることができ、循環管路１４を通る熱水と混合させることができるので、プレフィルター等が目詰まりしたときでも、請求項１の発明による優れた効果に加え、熱水と浴水とをより確実に混合させて、温度を低下させたうえでより安全に排水することができるという極めて優れた効果を有する。
【手続補正９】
【補正対象書類名】明細書
【補正対象項目名】００５２
【補正方法】変更
【補正の内容】
【００５２】
請求項３の発明では、プレフィルター等が目詰まりしたときでも、熱水と浴水とを混合させて温度を低下させたうえで安全に排水するよう、確実に制御できるという極めて優れた効果を有する。即ち、前記洗浄バルブ駆動手段２３ｃは、浴水排水時において前記噴出部１１と前記吸込部１２とから浴槽１０内の浴水を吸い込むよう前記洗浄バルブＶ2 の駆動を制御するとしたことにより、洗浄バルブＶ2 において、管路ａから流入した熱水（又は浴水）は、循環ポンプＰの吸引力が十分なので、管路ｊへは流出せずに全て連結管路ｂへ確実に流出させることができる。
【手続補正１０】
【補正対象書類名】明細書
【補正対象項目名】００５３
【補正方法】変更
【補正の内容】
【００５３】
更に、前記循環ポンプＰの吸引力は管路ｊへも到達するので、浴槽１０内の浴水を該管路ｊを介して確実に吸い上げることもできる。その結果、前記噴出部１１から十分な量の浴槽１０内の浴水を確実に吸い上げることができ、循環管路１４を通る熱水と確実に混合させることができるので、プレフィルター等が目詰まりしたときでも、熱水と浴水とを混合させて、温度を低下させたうえで安全且つ確実に排水することができるという極めて優れた効果を有する。
【手続補正１１】
【補正対象書類名】明細書
【補正対象項目名】００５４
【補正方法】削除
【補正の内容】
【手続補正１２】
【補正対象書類名】明細書
【補正対象項目名】００５５
【補正方法】削除
【補正の内容】